【手続補正書】
【提出日】平成25年10月15日(2013.10.15)
【手続補正１】
【補正対象書類名】特許請求の範囲
【補正対象項目名】全文
【補正方法】変更
【補正の内容】
【特許請求の範囲】
【請求項１】
高温合成ガス流から粒子状物質とアンモニアとＣＯＳとを除去することにより当該高温合成ガス流を処理して化学的生成物に変換する方法であって、
前記高温合成ガス流をスクラバーに送る工程と、
パージ水を有する酸性溶液をスクラバー循環水に加える工程と、
前記スクラバー循環水中のアンモニアと、ＣＯＳと、粒子状物質とを捕捉し、前記高温合成ガス流から前記スクラバー循環水へ水を凝縮させる工程と、
前記スクラバーから吸収されたＣＯＳとアンモニアと粒子状物質とを含有するスクラバー廃水流出液を前記スクラバーから回収する工程と、
ＣＯＳとアンモニアと粒子状物質との含有濃度が低下した処理済み合成ガス流の流出液を前記スクラバーから回収する工程と、
前記パージ水の少なくとも一部を生成する過程において、前記処理済み合成ガス流を化学的生成物に変換する工程と
を有する方法。
【請求項２】
請求項１記載の方法において、前記高温合成ガス流は分離装置へ送られ、前記スクラバーへ送られる前に前記粒子状物質の大半が除去されるものである方法。
【請求項３】
請求項１記載の方法において、前記酸性溶液は、前記処理済み高温合成ガス流を化学的生成物に変換する工程からのパージ水を含有し、前記処理済み高温合成ガス流を化学製品に変換する工程は、発酵工程であり、前記パージ水は、酢酸および水を含有するものである方法。
【請求項４】
請求項１記載の方法において、前記酸性溶液は酢酸を含有し、当該酸性溶液は、前記アンモニアガスを十分捕捉できるよう前記スクラバーのｐＨ値を十分低減して前記スクラバーの効率を十分高められる量だけ、前記スクラバー循環水に加えられるものである方法。
【請求項５】
請求項１記載の方法において、前記スクラバー廃水流出液流の少なくとも一部は、無酸素生物学的処理工程を経て無酸素流出液流を生じ、この無酸素流出液流の少なくとも一部は、好気性生物学的処理工程を経て、この好気性生物学的処理工程から生物学的に処理された廃水流が回収され、この生物学的に処理された廃水流の一部は、リサイクルされて前記無酸素生物学的処理工程に戻されるものである方法。
【請求項６】
請求項５記載の方法において、前記好気性生物学的処理工程から前記無酸素生物学的処理工程へリサイクルされる前記生物学的に処理された廃水の量は、所定の流出液中硝酸塩濃度を保つよう調整され、前記無酸素生物学的処理工程は、６．０〜９．０のｐＨ値範囲、好ましくは６．５〜８．５のｐＨ値範囲で保たれるものである方法。
【請求項７】
請求項５記載の方法において、前記高温合成ガス流はＨＣＮを含み、前記スクラバーからの前記処理済み合成ガス流の流出液の少なくとも一部は、ＨＣＮスクラバーへ送られ、ＨＣＮ洗浄水流出液の少なくとも一部は、前記無酸素生物学的処理工程へ送られることにより、ＨＣＮが除去されるものである方法。
【請求項８】
請求項１記載の方法において、前記パージ水の少なくとも一部を生成する過程は発酵過程を有するものであり、前記スクラバーからの前記処理済み合成ガス流の流出液の少なくとも一部は前記発酵過程の発酵ゾーンに入って、前記処理済み合成ガスが水性発酵もろみ中の嫌気性微生物に接触して溶解性化学的生成物に変換され、前記酸性溶液は、前記水性発酵もろみの一部を含有するものである方法。
【請求項９】
請求項１記載の方法において、前記廃水流出液流はアンモニウムを含み、前記スクラバー廃水流出液流の少なくとも一部は、前記生物学的処理ゾーン内の無酸素生物学的処理工程へ送られて、アンモニアから生成された硝酸塩の一部が変換され、アンモニウムが窒素ガスに変換され、またＣＯＳの少なくとも一部が主にＣＯ２およびＨ２Ｓに変換されて、無酸素流出液流を生成し、前記無酸素流出液流の少なくとも一部は、前記生物学的処理ゾーン内の好気性生物学的処理工程へ送られて、アンモニウムが硝酸塩へと硝化され、前記生物学的に処理された廃水流は、前記好気性生物学的処理工程から回収され、前記生物学的に処理された廃水流の一部は、リサイクルされて前記無酸素生物学的処理工程に戻されるものである方法。
【請求項１０】
請求項５記載の方法において、前記高温合成ガス流はＨＣＮを含み、前記処理済み合成ガス流の流出液の少なくとも一部は、ＨＣＮスクラバーへ送られてＨＣＮ洗浄水流と接触し、ＨＣＮ洗浄水流出液の少なくとも一部は、前記生物学的処理ゾーン内の前記無酸素生物学的処理工程へ送られ、そこで前記好気性生物学的処理工程の微生物に無害な化合物へとＨＣＮが変換されるものである方法。
【請求項１１】
請求項１記載の方法において、前記パージ水は、微生物の細胞を成長させ、前記無酸素生物学的処理工程で硝酸塩をＮ２ガスに還元する上で十分な炭素をもたらす酢酸を含有するものである方法。
【請求項１２】
請求項５記載の方法において、前記生物学的に処理された廃水流出液流の少なくとも一部は、前記ＨＣＮスクラバーへ送られて前記ＨＣＮ洗浄水流に接触するものである方法。
【請求項１３】
請求項１２記載の方法において、前記ＨＣＮ洗浄水流出液の少なくとも一部は、ＨＣＮ除去システムへ送られ、ＨＣＮの少なくとも一部が除去されてＨＣＮ除去システム流出液を生じ、そのＨＣＮ除去システム流出液の少なくとも一部は、前記ＨＣＮスクラバーへ戻されるものである方法。
【請求項１４】
請求項１３記載の方法において、ＨＣＮ処理済み合成ガス流の流出液の少なくとも一部は、発酵システムへ送られて、合成ガスが水性発酵もろみ中の嫌気性微生物に接触して化学的生成物、例えばエタノールおよび他の液体生成物に変換され、前記酸性洗浄液は、前記水性発酵もろみの少なくとも一部を含有するものである方法。
【手続補正２】
【補正対象書類名】明細書
【補正対象項目名】０００９
【補正方法】変更
【補正の内容】
【０００９】
広く知られ使用されている生物学的処理工程は、水を利用したスクラバー（ガス洗浄装置）と効果的に併用され、合成ガスからアンモニア、ＣＯＳ、およびＨＣＮを高い効率で除去するという目的を達成できる。生物学的処理工程は、高価な化学物質による過剰コストを生じることなく大気圧および低温で実施でき、危険および／または有害な廃棄物も生じることなく実施できる。アンモニウム、ＣＯＳ、およびＨＣＮをガス流からの水に吸収させる生物学的処理工程は、これまでも行われている。アンモニアは、一般に、ｐＨ値がやや酸性または中性の洗浄液を使って除去され、その使用済み洗浄液は好気性の廃液処理システムへ送られ、そこでアンモニアが酸化されて硝酸塩になったのち、一般にその硝酸塩にメタノールなどの有機電子供与体を加えて脱窒することで、前記硝酸塩が還元されて窒素ガスになる。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許第７２５８８４８号明細書
（特許文献２）  米国特許第６１０７３５３号明細書
（特許文献３）  国際公開第２００９／１１４１２７号
（特許文献４）  米国特許第４１８９３０７号明細書
（特許文献５）  国際公開第９６／３０１１０号
（特許文献６）  米国特許第６３４０５８１号明細書
（特許文献７）  米国特許第６１３６５７７号明細書
（特許文献８）  米国特許第７２８５４０２号明細書
（特許文献９）  米国特許出願公開第２００９／０２１５１３９号明細書
（特許文献１０）  米国特許出願公開第２００９／０２１５１６３号明細書
（特許文献１１）  米国特許出願公開第２００８／０３０５５４０号明細書
（特許文献１２）  米国特許第５９７６８６８号明細書
（特許文献１３）  米国特許第５７０５０７２号明細書
（特許文献１４）  米国特許第７６５５２０５号明細書
（特許文献１５）  国際公開第２００８／１５４３０１号
（特許文献１６）  特開昭５７―２０９６９５号公報
（特許文献１７）  米国特許第４１８９３０７号明細書
（特許文献１８）  米国特許第６９９８０９８号明細書
（非特許文献）
（非特許文献１）  ＣＬＡＵＳＥＮ，Ｅ．Ｃ．，ＥＴ  ＡＬ．，"Ｅｔｈａｎｏｌ  Ｆｒｏｍ  Ｂｉｏｍａｓｓ  Ｂｙ  Ｇａｓｉｆｉｃａｔｉｏｎ／Ｆｅｒｍｅｎｔａｔｉｏｎ"，Ｐｒｅｓｅｎｔｅｄ  ａｔ  Ｐｌａｓｔｉｃｓ，Ｔｉｒｅｓ，Ａｕｔｏ  Ｗａｓｔｅｓ／Ｂｉｏｍａｓｓ  ＭＳＷ  Ｓｙｍｐｏｓｉｕｍ，Ｆａｌｌ  １９９３，Ｃｈｉｃａｇｏ，３８（３）．
（非特許文献２）  ＫＬＡＳＳＯＮ，Ｋ．Ｔ．，ＥＴ  ＡＬ．，"Ｂｉｏｌｏｇｉｃａｌ  Ｐｒｏｄｕｃｔｉｏｎ  ｏｆ  Ｌｉｑｕｉｄ  ａｎｄ  Ｇａｓｅｏｕｓ  Ｆｕｅｌｓ  ｆｒｏｍ  Ｓｙｎｔｈｅｓｉｓ  Ｇａｓ，"Ａｐｐｌ．Ｂｉｏｃｈｅｍ．Ｂｉｏｔｅｃｈｎｏｌ．，Ｖｏｌ  ２４−２５，Ｎｏ．１，Ｍａｒｃｈ  １９９０，８５７−８７３．
（非特許文献３）  ＶＥＧＡ，Ｊ．Ｌ．，ＥＴ  ＡＬ．，"Ｔｈｅ  Ｂｉｏｌｏｇｉｃａｌ  Ｐｒｏｄｕｃｔｉｏｎ  ｏｆ  Ｅｔｈａｎｏｌ  ｆｒｏｍ  Ｓｙｎｔｈｅｓｉｓ  Ｇａｓ，"Ａｐｐｌ．Ｂｉｏｃｈｅｍ．Ｂｉｏｔｅｃｈｎｏｌ．Ｖｏｌ．２０−２１，Ｎｏ．１，Ｊａｎｕａｒｙ  １９８９，７８１−７９７．
（非特許文献４）  ＰＨＩＬＬＩＰＳ，ＪＯＨＮ  Ｒ．，ＥＴ  ＡＬ．，"Ｓｙｎｔｈｅｓｉｓ  Ｇａｓ  ａｓ  Ｓｕｂｓｔｒａｔｅ  ｆｏｒ  ｔｈｅ  Ｂｉｏｌｏｇｉｃａｌ  Ｐｒｏｄｕｃｔｉｏｎ  ｏｆ  Ｆｕｅｌｓ  ａｎｄ  Ｃｈｅｍｉｃａｌｓ，"Ａｐｐｌ．Ｂｉｏｃｈｅｍ．Ｂｉｏｔｅｃｈｎｏｌ．Ｖｏｌ．４５−４６，Ｎｏ．１，Ｍａｒｃｈ  １９９４，１４５−１５７．
（非特許文献５）  ＢＡＲＩＫ，Ｓ．，ＥＴ  ＡＬ．，"Ｂｉｏｌｏｇｉｃａｌ  Ｐｒｏｄｕｃｔｉｏｎ  ｏｆ  Ａｌｃｏｈｏｌｓ  ｆｒｏｍ  Ｃｏａｌ  Ｔｈｒｏｕｇｈ  Ｉｎｄｉｒｅｃｔ  Ｌｉｑｕｅｆａｃｔｉｏｎ，"Ａｐｐｌ．Ｂｉｏｃｈｅｍ．Ｂｉｏｔｅｃｈｎｏｌ．Ｖｏｌ  １８，Ｎｏ．１，Ａｕｇｕｓｔ  １９８８，３６３−３８７．